(57)【要約】      （修正有）【課題】無線デバイスから無線ネットワークノードへのデータ送信を処理するために無線ネットワークノードにより実行される方法を提供する。【解決手段】無線通信ネットワーク１において、無線ネットワークノード１２は、無線デバイス１０からチャネル上でアップリンクデータ送信を搬送するため、および、同じチャネル上で無線ネットワークノードからのダウンリンクデータ送信のフィードバック送信を搬送するために、１つ以上のリソースをスケジューリングする。無線ネットワークノード１２は、制御メッセージを該無線デバイス１０に送信する。該制御メッセージは、該同じチャネル上で該アップリンク送信およびフィードバック送信を搬送するためにスケジューリングされた１つ以上のリソースを示す。【選択図】図１
2020053975.tif 000002
【特許請求の範囲】
【請求項１】
無線通信ネットワーク（１）において無線デバイス（１０）から無線ネットワークノード（１２）へのデータ送信を処理するための前記無線ネットワークノードにより実行される方法であって、
前記無線デバイス（１０）からチャネル上でアップリンクデータ送信を搬送するため、および、同じチャネル上で前記無線ネットワークノードからのダウンリンクデータ送信のフィードバック送信を搬送するために、１つ以上のリソースをスケジューリングすること（３０２）と、
制御メッセージを前記無線デバイス（１０）に送信すること（３０３）であって、前記制御メッセージは、前記同じチャネル上で前記アップリンク送信および前記フィードバック送信を搬送するためにスケジューリングされた前記１つ以上のリソースを示すこと、を含む方法。
【請求項２】
請求項１に記載の方法であって、更に、
スケジューリングされた通りに前記チャネル上で受信されたフィードバック情報を読み取ること（３０４）を含む、方法。
【請求項３】
請求項２に記載の方法であって、更に、
前記読み取ったフィードバック情報に基づいて、前記ダウンリンクデータ送信のダウンリンクデータを再送信するか否かを決定すること（３０５）を含む、方法。
【請求項４】
請求項１から３のいずれか１項に記載の方法であって、前記制御メッセージはアップリンクグラントであり、前記チャネルは物理アップリンク共有チャネルである、方法。
【請求項５】
無線通信ネットワーク（１）において無線ネットワークノード（１２）へのデータ送信を処理するための前記無線デバイス（１０）により実行される方法であって、
前記無線ネットワークノード（１２）から制御メッセージを受信すること（４０１）であって、前記制御メッセージは、チャネル上でアップリンクデータ送信を搬送するため、および、同じチャネル上でフィードバック送信を搬送するためにスケジューリングされた１つ以上のリソースを示し、前記フィードバック送信は、前記無線ネットワークノード（１２）からのダウンリンクデータ送信のためのものである、ことと、
前記制御メッセージに示される前記１つ以上のリソースを用いて、前記同じチャネル上で前記無線ネットワークノード（１２）への前記アップリンクデータ送信と前記フィードバック送信を実行すること（４０４）を含む方法。
【請求項６】
請求項５に記載の方法であって、更に、
前記無線ネットワークノード（１２）から前記ダウンリンクデータ送信を受信すること（４０２）と、
前記フィードバック送信に対して前記受信されたデータ送信のフィードバック情報を生成すること（４０３）を含む、方法。
【請求項７】
請求項６に記載の方法であって、前記アップリンクデータ送信と前記フィードバック送信を実行することは、前記同じチャネル上で、前記フィードバック情報を前記アップリンクデータ送信のアップリンクデータと多重化することを含む、方法。
【請求項８】
請求項５から７のいずれか１項に記載の方法であって、前記チャネルは物理アップリンク共有チャネルであり、前記制御メッセージはアップリンクグラントである、方法。
【請求項９】
無線通信ネットワーク（１）において無線デバイス（１０）から無線ネットワークノード（１２）へのデータ送信を処理するための無線ネットワークノード（１２）であって、
前記無線デバイス（１０）からチャネル上でアップリンクデータ送信を搬送するため、および、同じチャネル上で前記無線ネットワークノードからのダウンリンクデータ送信のフィードバック送信を搬送するために、１つ以上のリソースをスケジューリングし、
制御メッセージを前記無線デバイス（１０）に送信し、ここで、前記制御メッセージは、前記同じチャネル上で前記アップリンク送信および前記フィードバック送信を搬送するためにスケジューリングされた前記１つ以上のリソースを示す、ように構成される、無線ネットワークノード。
【請求項１０】
請求項９に記載の無線ネットワークノード（１２）であって、更に、
スケジューリングされた通りに前記チャネル上で受信されたフィードバック情報を読み取るように構成される、無線ネットワークノード。
【請求項１１】
請求項１０に記載の無線ネットワークノードであって、更に、
前記読み取ったフィードバック情報に基づいて、前記ダウンリンクデータ送信のダウンリンクデータを再送信するか否かを決定するように構成される、無線ネットワークノード。
【請求項１２】
請求項９から１１のいずれか１項に記載の無線ネットワークノード（１２）であって、前記制御メッセージはアップリンクグラントであり、前記チャネルは物理アップリンク共有チャネルである、無線ネットワークノード。
【請求項１３】
無線通信ネットワーク（１）において無線ネットワークノード（１２）へのデータ送信を処理するための無線デバイス（１０）であって、
前記無線ネットワークノード（１２）から制御メッセージを受信し、ここで、前記制御メッセージは、チャネル上でアップリンクデータ送信を搬送するため、および、同じチャネル上でフィードバック送信を搬送するためにスケジューリングされた１つ以上のリソースを示し、前記フィードバック送信は、前記無線ネットワークノード（１２）からのダウンリンクデータ送信のためのものであり、
前記制御メッセージに示される前記１つ以上のリソースを用いて、前記同じチャネル上で前記無線ネットワークノード（１２）への前記アップリンクデータ送信と前記フィードバック送信を実行するように構成される、無線デバイス。
【請求項１４】
請求項１３に記載の無線デバイス（１０）であって、更に、
前記無線ネットワークノード（１２）から前記ダウンリンクデータ送信を受信し、
前記フィードバック送信に対して前記受信されたデータ送信のフィードバック情報を生成するように構成される、無線デバイス。
【請求項１５】
請求項１４に記載の無線デバイス（１０）であって、前記同じチャネル上で、前記フィードバック情報を前記アップリンクデータ送信のアップリンクデータと多重化するように構成されることにより、前記アップリンクデータ送信と前記フィードバック送信を実行するように構成される、無線デバイス。
【請求項１６】
請求項１３から１５のいずれか１項に記載の無線デバイス（１０）であって、前記チャネルは物理アップリンク共有チャネルであり、前記制御メッセージはアップリンクグラントである、無線デバイス。
【請求項１７】
コンピュータプログラムであって、少なくとも一つのプロセッサにおいて実行される場合に、前記無線デバイス（１０）または前記無線ネットワークノード（１２）により実行される請求項１から８のいずれか１項に記載の方法を前記少なくとも一つのプロセッサに実行させる命令を含むことを特徴とするコンピュータプログラム。
【請求項１８】
少なくとも１つのプロセッサ上で実行されると、前記少なくとも１つのプロセッサに、前記無線デバイス（１０）または無線ネットワークノード（１２）により実行される請求項１から８のいずれか１項に記載の方法を実行させる命令を含むコンピュータプログラムが格納されたコンピュータ可読記憶媒体。
【発明の詳細な説明】
【技術分野】
【０００１】
本実施形態は、無線ネットワークノード、無線デバイス、および、無線通信のためにそれらにおいて実行される方法に関する。更に、コンピュータプログラムおよびコンピュータ可読記憶媒体も提供される。特に、本実施形態は、無線通信ネットワークにおいて、無線ネットワークノードへのデータ送信といったデータの通信を処理することに関する。
【背景技術】
【０００２】
典型的な無線通信ネットワークでは、無線通信デバイス、移動局、局（ＳＴＡ）および／またはユーザ装置（ＵＥ）としても知られている無線デバイスは、無線アクセスネットワーク（ＲＡＮ）を介して1つ以上のコアネットワーク（ＣＮ）と通信する。ＲＡＮは、サービスエリアまたはセルエリアに分割された地理的エリアをカバーする。当該エリアは、ビームまたはビームグループとも呼ばれ、各サービスエリアまたはセルエリアは、Ｗｉ−Ｆｉアクセスポイント、または、いくつかのネットワークでは「ＮｏｄｅＢ」または「ｅＮｏｄｅＢ」とも呼ばれることがある無線基地局といった無線ネットワークノードによりサービスが提供される。サービスエリアまたはセルエリアは、無線ネットワークノードによって無線カバレッジが提供される地理的エリアである。無線ネットワークノードは、無線ネットワークノードの範囲内の無線デバイスと、無線周波数上で動作するエアインタフェースを介して通信する。
【０００３】
ユニバーサル移動体通信システム（ＵＭＴＳ）は、第２世代（２Ｇ）の移動通信用グローバルシステム（ＧＳＭ）から進化した第３世代（３Ｇ）通信ネットワークである。ＵＭＴＳ地上無線アクセスネットワーク（ＵＴＲＡＮ）は、本質的に、ユーザ装置のための広帯域符号分割多元接続（ＷＣＤＭＡ）および／または高速パケットアクセス（ＨＳＰＡ）を使用するＲＡＮである。第３世代パートナーシッププロジェクト（３ＧＰＰ）として知られているフォーラムでは、通信サプライヤが第３世代ネットワークの標準を提案し合意し、データレートと無線容量の向上を検討している。いくつかのＲＡＮでは、例えばＵＭＴＳのように、複数の無線ネットワークノードを、無線ネットワークコントローラ（ＲＮＣ）または基地局コントローラ（ＢＳＣ）のようなコントローラノードに、例えば陸上線またはマイクロ波によって接続することができ、それに接続された複数の無線ネットワークノードの様々な活動を監視し、調整する。この種類の接続は、ときにバックホール接続と称される。ＲＮＣとＢＳＣは典型的には１つ以上のコアネットワークに接続される。
【０００４】
第４世代（４Ｇ）ネットワークとも呼ばれる進化型パケットシステム（ＥＰＳ）の仕様は３ＧＰＰ内で完了しており、この作業は今後の３ＧＰＰリリース、例えば第５世代（５Ｇ）ネットワークを規定するために継続されている。ＥＰＳは、ロングタームエヴォリューション（ＬＴＥ）無線アクセスネットワークとしても知られる進化型ユニバーサル地上無線アクセスネットワーク（Ｅ−ＵＴＲＡＮ）、および、システム構造進化型（ＳＡＥ）コアネットワークとしても知られる進化型パケットコア（ＥＰＳ）を含む。Ｅ−ＵＴＲＡＮ／ＬＴＥは、無線ネットワークノードがＲＮＣではなくＥＰＣコアネットワークに直接接続されている３ＧＰＰ無線アクセスネットワークの変形である。一般的に、Ｅ−ＵＴＲＡＮ／ＬＴＥにおいて、ＲＮＣの機能は、無線ネットワークノード（ＬＴＥではｅＮｏｄｅＢ）とコアネットワーク間で分散される。したがって、ＥＰＳのＲＡＮは、１つ以上のコアネットワークに直接接続された無線ネットワークノードを含む本質的に「フラット」なアーキテクチャを有し、すなわち、それらはＲＮＣに接続されていない。これを補うために、Ｅ−ＵＴＲＡＮ仕様は無線ネットワークノード間の直接インタフェースを定義し、このインタフェースはＸ２インタフェースと呼ばれる。ＥＰＳは、進化型３ＧＰＰパケット交換ドメインである。
【０００５】
アドバンストアンテナシステム（ＡＳＳ）は、近年顕著に進化している技術であり、将来急速な技術の開発が見込まれている分野である。従って、一般的にはＡＳＳであって、具体的には大量の他出力多入力（ＭＩＭＯ）送信および受信が、将来の第５世代（５Ｇ）セルラ通信システムにおいて基礎となると想定することは自然なことである。
【０００６】
ＡＡＳに関連して、ビームフォーミングは、ますます普及しており、データの搬送だけでなく、制御情報の搬送のためでもある。これは、強化型物理ダウンリンク制御チャネル（ｅＰＤＣＣＨ）として知られる、ＬＴＥにおける制御チャネルの背後にある１つの動機である。制御チャネルがビームフォーミングされている場合、追加的なアンテナゲインにより提供されるリンクバジェットが増えることから、オーバーヘッドの制御情報を送信するコストを削減することが可能である。
【０００７】
自動再送要求（ＡＲＱ）は、多くの無線ネットワークで使用されている誤り制御技術である。ＡＲＱを伴うと、データ送信の受信機は、各メッセージが正しく受信されたかどうかを送信機に知らせるために肯定応答（ＡＣＫ）または否定応答（ＮＡＣＫ）を送信する。誤って受信されたメッセージ、並びに、全く確認されなかったメッセージは、再送信することができる。
【０００８】
ハイブリッドＡＲＱ（ＨＡＲＱ）は、データメッセージの順方向誤り訂正（ＦＥＣ）符号化とＡＲＱとを組み合わせて、送信されたメッセージを受信して正しく復号する能力を向上させる。従来のＡＲＱの場合と同様に、ＨＡＲＱを使用する受信機は、メッセージを復号しようとするたびにＡＣＫおよびＮＡＣＫを適宜送信する。これらのＡＣＫとＮＡＣＫは、「ＨＡＲＱフィードバック」と称される。
【０００９】
今日のＬＴＥにおけるダウンリンクＨＡＲＱ送信に対しては、ＨＡＲＱフィードバックが、ユーザ装置（ＵＥ）等の無線デバイスがアップリンクＰＵＳＣＨ送信をスケジュールしているか否かに依存して、物理アップリンク制御チャネル（ＰＵＣＣＨ）または物理アップリンク共有チャネル（ＰＵＳＣＨ）のいずれかにおいて、無線デバイスからネットワークへ送信される。その後、ＮＷは、個々のＨＡＲＱプロセスベースで、受信したＡＣＫまたはＮＡＣＫに基づいて、またはダウンリンク（ＤＬ）割り当て受信が失敗した場合、すなわち、無線デバイスが非連続送信（ＤＴＸ）とも呼ばれるフィードバックを送信しない場合でも、そのプロセスの最後のＨＡＲＱ受信が成功したかどうかについての結論を引き出すことができる。
【００１０】
ＬＴＥにおいて送信されたＨＡＲＱフィードバックのタイミングは、周波数分割複信（ＦＤＤ）に対しては、サブフレームｎ＋４におけるアップリンク（ＵＬ）において、そのプロセスに対して対応するＤＬデータ送信が合計で４ミリ秒（ｍｓ）に対応するサブフレームｎであった場合、１つのＨＡＲＱ受信（ＲＸ）プロセスからのフィードバックが受信されるようなものである。時間分割複信（ＴＤＤ）に対しては、ＤＬデータ送信からＵＬフィードバック受信までの遅延は、半二重ＤＬ−ＵＬスプリットを満たすために４より大きくてもよい。
【００１１】
従来技術のようにフィードバックを提供することは、無線通信ネットワークの性能を制限し得る。
【発明の概要】
【００１２】
ここでは、無線通信ネットワークの性能を向上させるメカニズムを提供することを目的とする。
【００１３】
本実施形態によれば、無線通信ネットワークにおいて無線デバイスから無線ネットワークノードへのデータ送信を処理するための当該無線ネットワークノードにより実行される方法により、当該目的は達成される。無線ネットワークノードは、無線デバイスからチャネル上でアップリンクデータ送信を搬送するため、および、同じチャネル上で無線ネットワークノードからのダウンリンクデータ送信のフィードバック送信を搬送するために、１つ以上のリソースをスケジューリングする。無線ネットワークノードは更に、制御メッセージを無線デバイスに送信する。ここで、制御メッセージは、同じチャネル上でアップリンクデータ送信およびフィードバック送信を搬送するためにスケジューリングされた１つ以上のリソースを示す。
【００１４】
本実施形態によれば、無線通信ネットワークにおいて無線ネットワークノードへのデータ送信を処理するために無線デバイスにより実行される方法により、当該目的は達成される。無線デバイスは、無線ネットワークノードから制御メッセージを受信する。ここで、制御メッセージは、チャネル上でアップリンクデータ送信を搬送し、同じチャネル上でフィードバック送信を搬送するためにスケジューリングされた１つ以上のリソースを示す。フィードバック送信は、無線ネットワークノードからのダウンリンクデータ送信のためのものである。無線デバイスは、制御メッセージにおいて示される１つ以上のリソースを用いて、同じチャネル上で無線ネットワークノードへのアップリンクデータ送信とフィードバック送信を実行する。
【００１５】
本実施形態によれば、無線通信ネットワークにおいて無線デバイスから無線ネットワークノードへのデータ送信を処理するための無線ネットワークノードを提供することにより、当該目的は更に達成される。無線ネットワークノードは、無線デバイスからチャネル上でアップリンクデータ送信を搬送するため、および、同じチャネル上で無線ネットワークノードからのダウンリンクデータ送信のフィードバック送信を搬送するために、１つ以上のリソースをスケジューリングするように構成される。無線ネットワークノードは更に、制御メッセージを無線デバイスに送信するように構成される。ここで、制御メッセージは、同じチャネル上でアップリンクデータ送信およびフィードバック送信を搬送するためにスケジューリングされた１つ以上のリソースを示す。
【００１６】
本実施形態によれば、無線通信ネットワークにおいて無線ネットワークノードへのデータ送信を処理するための無線デバイスにより。当該目的は更に達成される。無線デバイスは、無線ネットワークノードから制御メッセージを受信するように構成される。ここで、制御メッセージは、チャネル上でアップリンクデータ送信を搬送するため、および、同じチャネル上でフィードバック送信を搬送するためにスケジューリングされた１つ以上のリソースを示し、フィードバック送信は、無線ネットワークノードからのダウンリンクデータ送信のためのものである。無線デバイスは更に、制御メッセージにおいて示される１つ以上のリソースを用いて、同じチャネル上で無線ネットワークノードへのアップリンクデータ送信とフィードバック送信を実行するように構成される。
【００１７】
更に、少なくとも1つのプロセッサ上で実行されると、少なくとも1つのプロセッサに、無線ネットワークノードまたは無線デバイスによって実行される上記の方法のうちのいずれかを実行させる命令を含むコンピュータプログラムが提供される。少なくとも1つのプロセッサ上で実行されると、少なくとも1つのプロセッサに、無線ネットワークノードまたは無線デバイスによって実行される上記の方法のいずれかによる方法を実行させる命令を含むコンピュータプログラムがその上に記憶されたコンピュータ可読記憶媒体が更に提供される。
【００１８】
本実施形態は、効率的な方法で無線ネットワークノードへのＤＬデータ送信のフィードバックを可能にする方法を提供する。ＵＬデータ送信およびフィードバック送信を、同じ制御メッセージ、例えば、制御情報または同じＵＬグラントといったメッセージの制御部分、においてスケジューリングすることにより、フィードバックは、無線通信ネットワークの改善された性能に至る効率的な方法で無線ネットワークノードに戻される。本実施形態は、パンクチャリングが無いことから、フィードバック搬送によって、ＰＵＳＣＨ等のチャネルにビットエラーを導入しない。ＵＬデータ送信とフィードバック送信の両方が同じ制御メッセージ内にスケジューリングされるため、多重化方式が失敗する可能性のあるグラントを失う問題も回避される。
【図面の簡単な説明】
【００１９】
以下、添付の図面に関連して実施形態をより詳細に説明する。
【図１】図１は、本実施形態に従う、無線通信ネットワークを示す概観である。
【図２】図２は、本実施形態に従う、結合したフローチャートとシグナリング方式である。
【図３】図３は、本実施形態に従う、無線ネットワークノードにより実行される方法を示す概略的なフローチャートである。
【図４】図４は、本実施形態に従う、無線デバイスにより実行される方法を示すフローチャートである。
【図５】図５は、本実施形態に従う、無線ネットワークノードを示すブロック図である。
【図６】図６は、本実施形態に従う、通信デバイスを示すブロック図である。
【発明を実施するための形態】
【００２０】
本実施形態は、一般的には無線通信ネットワークに関する。図１は、無線通信ネットワーク１を示す概略図である。無線通信ネットワーク１は、１つ以上のＲＡＮと１つ以上のＣＮを含む。無線通信ネットワーク１は、いくつかの可能な実装を単に述べるために、Ｗｉ−Ｆｉ、ＬＴＥ、ＬＴＥアドバンスト、ＮＲ（New Radio）、５Ｇ、ＷＣＤＭＡ、ＧＳＭ／ＥＤＧＥ（ＧＳＭ進化のための強化型データ）、ＷｉＭａｘ（Worldwide Interoperability for Microwave Access）、またはＵＭＢ（Ultra Mobile Broadband ）といったいくつかの異なる技術を使用することができる。本実施形態は、５Ｇの状況において特に関心のある最近の技術動向に関するものであるが、実施形態はまた、ＷＣＤＭＡおよびＬＴＥといった既存の無線通信システムの更なる開発にも適用可能である。
【００２１】
無線通信ネットワーク１において、移動局、非アクセスポイント（非ＡＰ）ＳＴＡ、ＳＴＡ、ユーザ装置、および／または、無線端末および/または無線端末といった無線デバイス１０等の無線デバイスは、ＲＡＮ等の１つ以上のアクセスネットワーク（ＡＮ）を介して１つ以上のコアネットワーク（ＣＮ）と通信することができる。当業者であれば、「無線デバイス」とは、任意の端末、無線通信端末、ユーザ装置、マシーンタイプ通信（ＭＴＣ）デバイス、デバイス・ツー・デバイス（Ｄ２Ｄ）端末、または、ノード、スマートフォン、ラップトップ、携帯電話、センサ、中継機、モバイルタブレット、またはセル内で通信する小さな基地局等のノードを意味する非限定的な用語であることを理解されたい。
【００２２】
無線通信ネットワーク１は、地理的エリアを介して無線カバレッジを提供する無線ネットワークノード１２と、ＮＲ、５Ｇ、ＬＴＥ、Ｗｉ−Ｆｉ等第１の無線アクセス技術（ＲＡＴ）のビームまたはビームグループとも呼ばれるサービスエリア１１を含む。無線ネットワークノード１２は、無線ローカルエリアネットワーク（ＷＲＡＮ）アクセスポイントまたはアクセスポイントステーション（ＡＰ  ＳＴＡ）、アクセスコントローラや、ノードＢ、進化型ノードＢ（ｅＮＢ、ｅＮｏｄｅＢ）、無線基地局、無線遠隔ユニット、アクセスポイント基地局、基地局ルータ、無線基地局の送信構成、スタンドアロンアクセスポイントといった無線基地局等の基地局、または、例えば第１の無線アクセス技術と使用される用語に依存して、無線ネットワークノード１２によってサービスが提供されるサービスエリア内の無線デバイスと通信することができる任意の他のネットワークユニットであってもよい。無線ネットワークノード１２は、サービング無線ネットワークノードと呼ばれ、無線デバイス１０へのダウンリンク（ＤＬ）送信および無線デバイス１０からのアップリンク（ＵＬ）送信で無線デバイス１０と通信する。
【００２３】
本実施形態を展開する一部として、問題が特定されている。例えばＬＴＥでは、ＵＬで送信されるＤＬ  ＨＡＲＱメッセージのようなＵＬスケジューリングおよびＤＬフィードバック情報は分離される。これは、以前には、ＤＬ−ＨＡＲＱのスケジューリングが対応するＤＬデータ送信が受信された後に４サブフレーム送信されることを要求する固定タイミングによって制御される間に、ＵＬスケジューリングが無線ネットワークノード１２からのＵＬグラントを介して処理されることを意味する。
【００２４】
ＰＵＳＣＨ送信がスケジューリングされない場合、ＰＵＣＣＨ上でＨＡＲＱ送信が行われる。しかしながら、ＰＵＳＣＨがスケジューリングされる場合、ＨＡＲＱ送信は代わりにＰＵＳＣＨに移動され、ＰＵＳＣＨデータといったＵＬデータの「上に」パンクチャされる。パンクチャリングは、ＰＵＳＣＨ送信ビットのいくつかを破壊するが、ＰＵＳＣＨ送信ビットは、誤り訂正メカニズムによって依然として回復される可能性がある。
【００２５】
多重化ではなくパンクチャリングを使用する理由は、無線装置１０がＵＬデータ送信のためのグラントを受信しなかったり、ＤＬデータ送信のためにダウンリンク制御情報（ＤＣＩ）を受信できなかったりするという問題を回避するからである。一方または他方が失われた、すなわち正しく受信されなかったか、または正しく復号されなかった場合、情報が多重化されていた場合は、無線ネットワークノードでの復号化は、無線デバイスと無線ネットワークノードが実際に送信に含まれていたものに関して不一致になるため、失敗する。
【００２６】
本実施形態によれば、無線デバイス１０は、無線ネットワークノード１２への送信に対するデータを有し得る。無線ネットワークノード１２は、無線デバイス１０からＵＬデータ送信を搬送するため、および、無線ネットワークノード１２からのＤＬデータ送信のフィードバック送信を搬送するために、無線デバイス１０に対する１つ以上のリソースをスケジューリングする。その後、スケジューリングに関する情報が無線デバイス１０に送信される。
【００２７】
無線デバイス１０は、ＵＬデータ送信と、例えばＰＤＳＣＨ上での、無線ネットワークノード１２からのＤＬデータ送信の、ＨＡＲＱフィードバック等のフィードバック情報を提供する。フィードバック情報は、無線ネットワークノード１２によりスケジュールされるように、ＰＵＳＣＨ上でアップリンク制御情報（ＵＣＩ）の一部として送信され得る。例えばＵＬデータとフィードバック情報は、例えばＰＵＳＣＨに多重化され、無線ネットワークノード１２へ送信される。
【００２８】
したがって、本実施形態は、無線デバイス１０からのＵＬデータ送信のためのスケジューリング情報を提供するときに、フィードバック情報の構成を効率的に設定するメカニズムを提供する。パンクチャリングを行わないため、本実施形態では、ビット誤りが、例えばＨＡＲＱ送信によるＰＵＳＣＨに導入されない。また、ＵＬデータとフィードバック情報の両方が同じＵＬグラントまたは同じ制御メッセージにスケジュールされるため、多重化方式が失敗する可能性のある失われたグラントには問題がない。
【００２９】
図２は、本実施形態に従う、結合したフローチャートとシグナリング方式である。以下のアクションは、任意の好適な順序で実行され得る。
【００３０】
［アクション２０１］
無線デバイス１０は、無線ネットワークノード１２または他のノードまたは無線デバイスに対する送信を意図したデータを有する。無線デバイス１０は、無線デバイス１０での送信のためにデータがバッファリングされるとき、点線矢印でマークされたＵＬデータ要求を送信し得る。無線デバイス１０は代替的にまたは追加的に、無線デバイス１０からＵＬデータ送信を要求する無線ネットワークノード１２から要求を受信し得る。
【００３１】
［アクション２０２］
無線ネットワークノード１２は、無線デバイス１０からＰＵＳＣＨといったチャネル上でＵＬデータ送信を搬送するために、サブフレーム、リソースエレメント、リソースブロック、シンボルまたは周波数といった、１つ以上のリソースをスケジューリングする。更に、無線ネットワークノード１２は、無線ネットワークノード１２からのＤＬデータ送信のフィードバック送信を、無線デバイス１０から搬送するための１つ以上のリソースをスケジューリングする。
【００３２】
［アクション２０３］
その後、無線ネットワークノード１２は、チャネル上で無線デバイス１０からＵＬデータ送信を搬送するために１つ以上のリソースのスケジューリングを示す、ＵＬグラントといった制御メッセージまたは情報を送信する。同じ制御メッセージは更に、無線ネットワークノード１２からのＤＬデータ送信のフィードバック送信に対する１つ以上のリソースのスケジューリングを示す。ＵＬデータ送信とフィードバック送信は、ＰＵＳＣＨといった同じチャネル上で搬送される。したがって、本実施形態は、１つのＵＬグラントにおける、ＵＬデータと、ＵＣＩといったフィードバックのスケジューリングの送信を開示する。フィードバック情報のフィードバックインジケータは、ＡＣＫ／ＮＡＣＫが存在することを示すための１ビットを含むことができ、どのリソース要素が存在するかは規格によって与えられることができる。
【００３３】
いくつかの実施形態では、ＡＣＫ／ＮＡＣＫのようなフィードバックインジケータは、存在する場合、復調参照信号に最も近いリソース要素のようなリソースにマッピングされるので、チャネル推定の品質はＡＣＫ／ＮＡＣＫに対して最良であり、チャネル品質インジケータ（ＣＱＩ）およびランクインジケータ（ＲＩ）等の他のタイプのＵＣＩよりも重要である。データはその後、フィードバックインジケータに対して使用されるリソースエレメントを避けるために、レートマッチングされ、すなわち、これらのリソースエレメントの周辺にマッピングされる。
【００３４】
いくつかの実施形態では、ＡＣＫまたはＮＡＣＫを含めるための制御メッセージにおけるスケジューリングコマンドは１ビットより大きく、フィードバックインジケータの存在を示すだけでなく、フィードバックインジケータをスケジュールされた周波数帯域全体のサブバンドに追加することを可能にする。したがって、フィードバック情報またはインジケータは、ＵＬデータ送信と同じ送信帯域を有さない。このようにすることにより、無線ネットワークノード１２におけるスケジューラは、周波数ドメインにおけるチャネルフェージングが好ましいいくつかの可能なサブバンドのうちのサブバンド、すなわちいわゆるフェージングピーク、において、フィードバック送信のためのリソースを配置することができる。この利点は、フィードバック情報のより良い受信およびよりロバスト性である。
【００３５】
したがって、本実施形態は、利用可能なリソースにレートマッチングされ得るＰＵＳＣＨ送信を可能にすることができ、符号化レート、すなわち、追加される冗長量が、例えば、信号対干渉雑音比（ＳＩＮＲ）および目標誤り確率を得るために送信に利用可能なビット数といった期待されるチャネル条件に適合するように構成されることを意味する。
【００３６】
［アクション２０４］
無線ネットワークノード１２は、無線デバイス１０にＤＬデータ送信においてＤＬデータを送信する。
【００３７】
［アクション２０５］
無線デバイス１０は、受信したＤＬデータを復号し、例えば、復号に成功した場合のＡＣＫ、データの復号に失敗した場合のＮＡＣＫ、および、不連続送信（ＤＴＸ）、すなわち、制御情報の復号化に失敗した場合、すなわち、ＤＬデータ送信のためのＤＬグラントを検出しなかった場合の無送信の復号に関するフィードバック情報を生成することを試みる。
【００３８】
［アクション２０６］
無線デバイス１０はその後、ＰＵＳＣＨ等の同じチャネル上で、制御メッセージにおいてスケジュールされた通りに、ＵＬデータと生成したフィードバック情報を送信する。
【００３９】
［アクション２０７］
無線ネットワークノード１２は、フィードバックに対する、スケジュールされた１つ以上のリソースの知識に基づいて、フィードバック情報を読み取る。無線ネットワークノード１２は更にＵＬデータ送信も読み取る。
【００４０】
［アクション２０８］
無線ネットワークノード１２はその後、読み取ったフィードバックに基づいて、任意のＤＬデータを再送信するかを決定する。
【００４１】
図３は、無線通信ネットワーク１における無線デバイス１０から無線ネットワークノード１２への、サブフレームを介するデータの送信などのデータ送信を処理する無線ネットワークノード１２によって実行される方法を示すフローチャートである。アクションは任意の適切な順序で実行され、オプションのアクションは点線四角で示される。
【００４２】
［アクション３０１］
無線ネットワークノード１２は、無線デバイス１０からＵＬデータ要求を受信してもよく、または、例えば無線デバイスまたは同様のものから測定データを要求する無線ネットワークノード１２からＵＬデータが要求されてもよい。
【００４３】
［アクション３０２］
無線ネットワークノード１２は、ＰＵＳＣＨといったチャネル上で無線デバイス１０からのアップリンクデータ送信を搬送するため、および、同じチャネル上で無線ネットワークノード１２からのダウンリンクデータ送信のフィードバック送信を搬送するために、１つ以上のリソースをスケジューリングする。
【００４４】
［アクション３０３］
無線ネットワークノード１２は、無線デバイス１０に制御メッセージを送信する。制御メッセージは、同じチャネル上でアップリンクデータ送信およびフィードバック送信を搬送するためにスケジューリングされた１つ以上のリソースを示す。したがって、制御メッセージは、無線デバイス１０からのチャネル上のデータ送信を搬送するためのリソースのスケジューリングを示し、制御メッセージは更に、同じチャネル上での無線ネットワークノード１２からのデータ送信（ＤＬデータ）のフィードバック送信に対するリソースのスケジューリングを示す。制御メッセージは、アップリンクグラントであり得る。
【００４５】
［アクション３０４］
無線ネットワークノード１２はその後、スケジュールされた通りにチャネル上で受信したフィードバック情報を読み取る。
【００４６】
［アクション３０５］
無線ネットワークノード１２はその後、読み取ったフィードバック情報に基づいて、ダウンリンクデータ送信のＤＬデータを再送信するか否かを決定する。
【００４７】
図４は、無線通信ネットワーク１における無線ネットワークノード１２へのデータ送信（ＵＬデータ）を処理するための無線デバイス１０によって実行される方法を示すフローチャートである。アクションは任意の適切な順序で実行され、オプションのアクションは点線四角で示される。
【００４８】
［アクション４００］
無線デバイス１０は、無線ネットワークノード１２向けのデータまたは別のノードまたは無線デバイスへの送信に対するデータを有することができる。無線デバイス１０はその後、無線デバイス１０からのＵＬデータ送信を示す無線ネットワークノード１２へのＵＬスケジューリング要求（ＳＲ）等のＵＬデータ要求を送信する。ＵＬデータ送信はまた、無線ネットワークノード１２から要求され得る。
【００４９】
［アクション４０１］
無線デバイス１０は、無線ネットワークノード１２から制御メッセージを受信する。ここで、制御メッセージは、チャネル上でアップリンクデータ送信を搬送するため、および、同じチャネル上でフィードバック送信を搬送するためにスケジューリングされた１つ以上のリソースを示し、フィードバック送信は、無線ネットワークノード１２からのダウンリンクデータ送信のためのものである。制御メッセージは、ＵＬグラントであり得る。そして、制御メッセージは、無線デバイス１０からチャネル上でデータ送信を搬送するためのリソースのスケジューリングを示し得る。更に、制御メッセージは更に、無線ネットワークノード１２からの１つ以上のデータ送信の、チャネル上の、フィードバック送信に対するリソースのスケジューリングを示し得る。
【００５０】
［アクション４０２］
無線デバイス１０は、データ情報および制御情報／部分を搬送するいくつかのサブフレーム等、ＤＬデータ送信を無線ネットワークノード１２から受信する。
【００５１】
［アクション４０３］
無線デバイス１０は、フィードバックメッセージにフィードバックインジケータを追加する等、フィードバック送信に対して、受信したデータ送信のフィードバック情報を生成する。
【００５２】
［アクション４０４］
無線デバイス１０は、制御メッセージにおいて示される１つ以上のリソースを用いて、同じチャネル上で、無線ネットワークノード１２へのアップリンクデータ送信とフィードバック送信を実行する。したがって、無線デバイス１０は、スケジューリングされた通りにＵＬデータを無線ネットワークノード１２に送信し、また、スケジュールされた通りにＤＬデータ送信のフィードバック、例えばフィードバックインジケータを、制御メッセージにおいて無線ネットワークノード１２へ送信する。無線デバイス１０は、フィードバック情報を同じチャネル上でアップリンクデータ送信のアップリンクデータと多重化することにより、例えば、フィードバックインジケータ／情報をＰＵＳＣＨ等の共有チャネルといったチャネル上でＵＬデータと多重化することにより、無線ネットワークノード１２へのアップリンクデータ送信およびフィードバック送信を行うことができる。
【００５３】
図５は、無線通信ネットワーク１における無線デバイス１０から無線ネットワークノード１２への、サブフレームを介するデータのＵＬデータ送信といったデータ送信を処理するための、２つの実施形態における無線ネットワークノード１２を示すブロック図である。
【００５４】
無線ネットワークノード１２は、本方法を実行するように構成された、１つ以上のプロセッサ等の処理ユニット５０１を有し得る。
【００５５】
無線ネットワークノード１２は、受信器または送信器等の受信モジュール５０２を有し得る。無線デバイス１２、処理モジュール５０１および／または受信モジュール５０２は、無線デバイス１０からＵＬスケジューリング要求を受信するように構成することができる。
【００５６】
無線ネットワークノード１２は、スケジューラ等のスケジューリングモジュール５０３を有し得る。無線ネットワークノード１２、処理ユニット５０１、および／または、スケジューリングモジュール５０３は、無線デバイス１０からチャネル上でアップリンクデータ送信を搬送するため、および、同じチャネル上で無線ネットワークノードからのダウンリンクデータ送信のフィードバック送信を搬送するために、１つ以上のリソースをスケジューリングするように構成される。
【００５７】
無線ネットワークノード１２は、送信器または送受信器等の送信モジュール５０４を有し得る。無線ネットワークノード１２、処理ユニット５０１、および／または、送信モジュール５０４は、制御メッセージを無線デバイス１０に送信するように構成される。ここで、制御メッセージは、同じチャネル上でアップリンクデータ送信およびフィードバック送信を搬送するためにスケジューリングされた１つ以上のリソースを示す。制御メッセージはアップリンクグラントであり得る。また、チャネルはＰＵＳＣＨであり得る。
【００５８】
無線ネットワークノード１２は、読み取りモジュール５０５を有し得る。無線デバイス１２、処理モジュール５０１、および／または、読み取りモジュール５０５は、スケジュールされた通りに、チャネル上で受信されたフィードバック情報を読み取るように構成され得る。
【００５９】
無線ネットワークノード１２は、決定モジュール５０６を有し得る。無線ネットワークノード１２、処理ユニット５０１、および／または、決定モジュール５０６は、読み取ったフィードバック情報に基づいて、ダウンリンクデータ送信のダウンリンクデータを再送信するか否かを決定するように構成され得る。
【００６０】
無線ネットワークノード１２に対してここに記載される実施形態に従う方法はそれぞれ、少なくとも１つのプロセッサ上で実行されると、当該少なくとも１つのプロセッサに、無線ネットワークノード１２により実行されるような、ここに説明したアクションを実行させる命令、すなわちソフトウェアコード部分、を含むコンピュータプログラム５０７またはコンピュータプログラムプロダクト等の手段により実装される。コンピュータプログラム５０７は、ディスク、ＵＳＢ等のコンピュータ可読記憶媒体５０８に格納され得る。コンピュータ読み取り可能な記憶媒体５０８は、コンピュータプログラムを記憶しており、少なくとも１つのプロセッサ上で実行されると、当該少なくとも１つのプロセッサに、無線ネットワークノード１２により実行されるような、ここに説明したアクションを実行させる命令を含むことができる。いくつかの実施形態では、コンピュータ可読記憶媒体は、非一時的コンピュータ可読記憶媒体であり得る。
【００６１】
無線ネットワークノード１２は更に、メモリ５０９を有し得る。メモリは、フィードバックインジケータ、リソース、ＳＲ、ＤＬデータ、ＵＬグラント、実行時にここに開示された方法を実行するためのアプリケーション等、データを格納するために使用される１つ以上のユニットを含む。したがって、無線通信ネットワーク１において、無線デバイス１０から無線ネットワークノード１２へのデータ送信を処理するための第１の無線ネットワークノード１２が、ここで提供されてもよく、メモリ５０９は、処理ユニット５０１によって実行可能な命令を含み、それにより、第１の無線ネットワークノード１２は、本方法を実行するように動作する。
【００６２】
図６は、無線通信ネットワーク１における無線ネットワークノード１２へのデータ送信（ＵＬデータ）を処理するための、２つの実施形態における無線デバイス１０を示すブロック図である。
【００６３】
無線デバイス１０は、本方法を実行するように構成された、１つ以上のプロセッサ等の処理ユニット６０１を有し得る。
【００６４】
無線デバイス１０は、送信器または送受信器等の送信モジュール６０２を有し得る。無線デバイス１０、処理ユニット６０１、および／または、送信モジュール６０２は、無線デバイス１０が無線ネットワークノード１２向けのデータまたは別のノードまたは無線デバイスへの送信に対するデータを有する場合、ＳＲ等の無線デバイス１０からのＵＬデータ送信を示すＵＬデータ要求を、無線ネットワークノード１２へ送信する。
【００６５】
無線デバイス１０は、受信器または送受信器等の受信モジュール６０３を有し得る。無線ネットワークノード１０、処理ユニット６０１、および／または、受信モジュール６０３は、無線ネットワークノード１２から制御メッセージを受信するように構成される。ここで、制御メッセージは、チャネル上でアップリンクデータ送信を搬送し、同じチャネル上でフィードバック送信を搬送するためにスケジューリングされた１つ以上のリソースを示す。フィードバック送信は、無線ネットワークノード１２からのダウンリンクデータ送信のためのものである。制御メッセージは、無線デバイス１０からチャネル上でデータ送信を搬送するためのリソースのスケジューリングを示し得る。更に、制御メッセージは、無線ネットワークノード１２からの１つ以上のデータ送信の、チャネル上の、フィードバック送信に対するリソースのスケジューリングを示し得る。
【００６６】
無線デバイス１０、処理ユニット６０１、および／または、受信モジュール６０３は、データ情報および制御部分／情報を搬送する、いくつかのサブフレーム等のＤＬデータ送信を無線ネットワークノード１２から受信するように構成され得る。
【００６７】
無線デバイス１０は、生成モジュール６０４を有し得る。無線デバイス１０、処理ユニット６０１、および／または、生成モジュール６０４は、フィードバックメッセージにフィードバックインジケータを追加する等、フィードバック送信に対して、受信したデータ送信のフィードバック情報を生成するように構成され得る。
【００６８】
無線デバイス１０は、多重化モジュール６０５を有し得る。無線デバイス１０、処理ユニット６０１、および／または、多重化モジュール６０５は、ＰＵＳＣＨ等の共有チャネルといったチャネル上で、フィードバックインジケータ／情報等のフィードバックをＵＬデータと多重化するように構成され得る。したがって、無線デバイス１０．処理ユニット６０１、および／または、多重化モジュール６０５は、フィードバック情報をアップリンクデータ送信のアップリンクデータに多重化するように構成されることにより、アップリンク送信とフィードバック送信を同じチャネル上で実行するように構成され得る。
【００６９】
無線デバイス１０、処理ユニット６０１、および／または、送信モジュール６０２は、制御メッセージにおいて示される１つ以上のリソースを用いて、同じチャネル上で無線ネットワークノード１２へのアップリンクデータ送信とフィードバック送信を実行するように構成される。したがって、無線デバイス１０、処理ユニット６０１、および／または、送信モジュール６０２は、スケジューリングされた通りにＵＬデータを無線ネットワークノード１２に送信し、また、スケジュールされた通りにＤＬデータ送信のフィードバック、例えばフィードバックインジケータを、制御メッセージにおいて無線ネットワークノード１２へ送信するように構成され得る。チャネルは物理アップリンク共有チャネルであり得る。また、制御メッセージはアップリンクグラントであり得る。
【００７０】
ここに記載された実施形態に従う無線デバイス１０に対する方法はそれぞれ、少なくとも１つのプロセッサ上で実行されると、当該少なくとも１つのプロセッサに、無線デバイス１０により実行されるような、ここに説明したアクションを実行させる命令、すなわちソフトウェアコード部分、を含むコンピュータプログラム６０６またはコンピュータプログラムプロダクト等の手段により実装される。コンピュータプログラム６０６は、ディスク、ＵＳＢ等のコンピュータ可読記憶媒体６０７に格納され得る。コンピュータ読み取り可能な記憶媒体6６０７は、コンピュータプログラムを記憶しており、少なくとも１つのプロセッサ上で実行されると、当該少なくとも１つのプロセッサに、無線デバイス１０により実行されるような、ここに説明したアクションを実行させる命令を含むことができる。いくつかの実施形態では、コンピュータ可読記憶媒体は、非一時的コンピュータ可読記憶媒体であり得る。
【００７１】
無線デバイス１０は更に、メモリ６０８を有し得る。メモリは、フィードバックインジケータ、リソース、多重化、ＳＲ、ＤＬデータ、ＵＬグラント、実行時にここに開示された方法を実行するためのアプリケーション等、データを格納するために使用される１つ以上のユニットを含む。
【００７２】
したがって、無線通信ネットワーク１において、無線ネットワークノード１２へのデータ送信（ＵＬデータ）を処理するための無線デバイス１０が、ここで提供されてもよく、メモリ６０８は、処理ユニット６０１によって実行可能な命令を含み、それにより、無線デバイス１０は、本方法を実行するように動作する。
【００７３】
通信設計に精通した者によって容易に理解されるように、機能手段またはモジュールは、デジタルロジックおよび／または1つまたは複数のマイクロコントローラ、マイクロプロセッサ、または他のデジタルハードウェアを使用して実装され得る。いくつかの実施形態では、単一の特定用途向け集積回路（ＡＳＩＣ）、またはそれらの間に適切なハードウェアおよび／またはソフトウェアインターフェースを有する２つ以上の別個のデバイスなど、様々な機能のいくつかまたはすべてを一緒に実装することができる。いくつかの機能は、例えば、無線ネットワークノードの他の機能コンポーネントと共有されるプロセッサ上に実装されてもよい。
【００７４】
あるいは、説明された処理手段のいくつかの機能的要素は、専用ハードウェアを使用して提供されてもよく、他のソフトウェアには、適切なソフトウェアまたはファームウェアに関連して、ソフトウェアを実行するためのハードウェアが提供されてもよい。したがって、ここで使用する「プロセッサ」または「コントローラ」という用語は、ソフトウェアを実行することができるハードウェアを排他的に指すものではなく、デジタル信号プロセッサ（ＤＳＰ）ハードウェア、ソフトウェアを記憶するための読み出し専用メモリ（ＲＯＭ）、ソフトウェアおよび／またはプログラムまたはアプリケーションデータを格納するためのランダムアクセスメモリ、および不揮発性メモリを含む。従来のおよび／またはカスタムの他のハードウェアを含めることもできる。無線ネットワークノードの設計者は、これらの設計選択に内在するコスト、性能、および保守のトレードオフを理解するだろう。
【００７５】
ここでは、無線通信ネットワークにおける無線デバイスから無線ネットワークノードへの、サブフレームを介するデータ送信などのデータ送信を処理するための無線ネットワークノードによって実行される方法が開示される。無線ネットワークノードは、無線デバイスからのチャネルを介してデータ伝送を搬送するためのリソースのスケジューリングを示す制御メッセージ、例えばＵＬグラントを送信し、制御メッセージは、同じチャネルを介して、無線ネットワークノードからのデータ送信のフィードバック送信を含む。
【００７６】
更に、無線通信ネットワークにおいて無線ネットワークノードへのデータ送信を処理するための無線デバイスにより実行される方法が開示される。無線デバイスは無線ネットワークノードから制御メッセージを受信する。制御メッセージは、無線デバイスからチャネル上でデータ送信を搬送するためのリソースのスケジューリングを示し、当該制御メッセージは更に、同じチャネル上で、無線ネットワークノードからのデータ送信のフィードバック送信に対するリソースのスケジューリングを示す。その後、無線デバイスはスケジューリングされた通りにデータを送信し、また、スケジュールされた通りにＤＬデータ送信のフィードバックインジケータを、制御メッセージにおいて無線ネットワークノード１２ｊへ送信する。
【００７７】
追加的に、本方法を実行するように構成された無線ネットワークノードと無線デバイスも提供される。
【００７８】
更に、少なくとも１つのプロセッサ上で実行されると、少なくとも1つのプロセッサに、無線ネットワークノードまたは無線デバイスによって実行される上記の方法のうちのいずれかを実行させる命令を含むコンピュータプログラムが提供される。少なくとも1つのプロセッサ上で実行されると、少なくとも１つのプロセッサに、無線ネットワークノードまたは無線デバイスによって実行される上記の方法のいずれかによる方法を実行させる命令を含むコンピュータプログラムがその上に記憶されたコンピュータ可読記憶媒体がさらに提供される。
【００７９】
前述の説明および添付の図面は、ここで教示される方法および装置の非限定的な例を表すことが理解されよう。したがって、ここで教示される装置および技術は、前述の説明および添付の図面によって限定されない。代わりに、本実施形態は、添付の特許請求の範囲およびその法的同等物によってのみ限定される。
【図１】
2020053975.tif 000003
【図２】
2020053975.tif 000004
【図３】
2020053975.tif 000005
【図４】
2020053975.tif 000006
【図５】
2020053975.tif 000007
【図６】
2020053975.tif 000008
【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
無線通信ネットワーク（１）において無線デバイス（１０）から無線ネットワークノード（１２）へのデータ送信を処理するための前記無線ネットワークノードにより実行される方法であって、
前記無線デバイス（１０）からチャネル上でアップリンクデータ送信を搬送するための１つ以上のリソース、および、同じチャネル上で前記無線ネットワークノードからのダウンリンクデータ送信のフィードバック送信を搬送するための１つ以上のリソースをスケジューリングすること（３０２）と、
単一の制御メッセージを前記無線デバイス（１０）に送信すること（３０３）であって、前記単一の制御メッセージは、前記アップリンクデータ送信を搬送するためにスケジューリングされた前記１つ以上のリソース、および、前記同じチャネル上での前記フィードバック送信に対してスケジューリングされた前記１つ以上のリソースを示し、
スケジューリングされた通りに前記チャネル上で受信されたフィードバック情報を読み取ること（３０４）であって、前記フィードバック情報は、前記同じチャネル上で、前記アップリンクデータ送信のアップリンクデータと、前記アップリンクデータ送信のビットをパンクチャせずに多重化されること、を含む方法。
【請求項２】
請求項１に記載の方法であって、更に、
前記読み取ったフィードバック情報に基づいて、前記ダウンリンクデータ送信のダウンリンクデータを再送信するか否かを決定すること（３０５）を含む、方法。
【請求項３】
請求項１または２に記載の方法であって、前記単一の制御メッセージはアップリンクグラントであり、前記チャネルは物理アップリンク共有チャネルである、方法。
【請求項４】
無線通信ネットワーク（１）において無線ネットワークノード（１２）へのデータ送信を処理するための無線デバイス（１０）により実行される方法であって、
前記無線ネットワークノード（１２）から単一の制御メッセージを受信すること（４０１）であって、前記単一の制御メッセージは、チャネル上でアップリンクデータ送信を搬送するためにスケジューリングされた１つ以上のリソース、および、同じチャネル上でフィードバック送信を搬送するためにスケジューリングされた１つ以上のリソースを示し、前記フィードバック送信は、前記無線ネットワークノード（１２）からのダウンリンクデータ送信のためのものである、ことと、
前記制御メッセージに示される前記リソースを用いて、前記同じチャネル上で前記無線ネットワークノード（１２）への前記アップリンクデータ送信と前記フィードバック送信を実行すること（４０４）であって、前記アップリンクデータ送信と前記フィードバック送信を実行することは、前記同じチャネル上で、フィードバック情報を前記アップリンクデータ送信のアップリンクデータと、前記アップリンクデータ送信のビットをパンクチャせずに多重化することを含むこと、を含む方法。
【請求項５】
請求項４に記載の方法であって、更に、
前記無線ネットワークノード（１２）から前記ダウンリンクデータ送信を受信すること（４０２）と、
前記フィードバック送信に対して前記受信されたデータ送信のフィードバック情報を生成すること（４０３）を含む、方法。
【請求項６】
請求項４または５に記載の方法であって、前記チャネルは物理アップリンク共有チャネルであり、前記制御メッセージはアップリンクグラントである、方法。
【請求項７】
無線通信ネットワーク（１）において無線デバイス（１０）から無線ネットワークノード（１２）へのデータ送信を処理するための無線ネットワークノード（１２）であって、
前記無線デバイス（１０）からチャネル上でアップリンクデータ送信を搬送するための１つ以上のリソース、および、同じチャネル上で前記無線ネットワークノードからのダウンリンクデータ送信のフィードバック送信を搬送するための１つ以上のリソースをスケジューリングし、
単一の制御メッセージを前記無線デバイス（１０）に送信し、ここで、前記単一の制御メッセージは、前記アップリンクデータ送信を搬送するためにスケジューリングされた前記１つ以上のリソース、および、前記同じチャネル上で前記フィードバック送信を搬送するためにスケジューリングされた前記１つ以上のリソースを示し、
スケジューリングされた通りに前記チャネル上で受信されたフィードバック情報を読み取り、ここで、前記フィードバック情報は、前記同じチャネル上で、前記アップリンクデータ送信のアップリンクデータと、前記アップリンクデータ送信のビットをパンクチャせずに多重化される、ように構成される、無線ネットワークノード。
【請求項８】
請求項７に記載の無線ネットワークノード（１２）であって、前記フィードバック情報は、前記同じチャネル上で前記アップリンクデータ送信の前記アップリンクデータでパンクチャされない、無線ネットワークノード。
【請求項９】
請求項７または８に記載の無線ネットワークノード（１２）であって、更に、
前記読み取ったフィードバック情報に基づいて、前記ダウンリンクデータ送信のダウンリンクデータを再送信するか否かを決定するように構成される、無線ネットワークノード。
【請求項１０】
請求項７から９のいずれか１項に記載の無線ネットワークノード（１２）であって、前記単一の制御メッセージはアップリンクグラントであり、前記チャネルは物理アップリンク共有チャネルである、無線ネットワークノード。
【請求項１１】
無線通信ネットワーク（１）において無線ネットワークノード（１２）へのデータ送信を処理するための無線デバイス（１０）であって、
前記無線ネットワークノード（１２）から単一の制御メッセージを受信し、ここで、前記単一の制御メッセージは、チャネル上でアップリンクデータ送信を搬送するためにスケジューリングされた１つ以上のリソース、および、同じチャネル上でフィードバック送信を搬送するためにスケジューリングされた１つ以上のリソースを示し、前記フィードバック送信は、前記無線ネットワークノード（１２）からのダウンリンクデータ送信のためのものであり、
前記同じチャネル上で、フィードバック情報を前記アップリンクデータ送信のアップリンクデータと、前記アップリンクデータ送信のビットをパンクチャせずに多重化するように構成されることにより、前記単一の制御メッセージに示される前記リソースを用いて、前記同じチャネル上で前記無線ネットワークノード（１２）への前記アップリンクデータ送信と前記フィードバック送信を実行するように構成される、無線デバイス。
【請求項１２】
請求項１１に記載の無線デバイス（１０）であって、更に、
前記無線ネットワークノード（１２）から前記ダウンリンクデータ送信を受信し、
前記フィードバック送信に対して前記受信されたデータ送信のフィードバック情報を生成するように構成される、無線デバイス。
【請求項１３】
請求項１１または１２に記載の無線デバイス（１０）であって、前記チャネルは物理アップリンク共有チャネルであり、前記制御メッセージはアップリンクグラントである、無線デバイス。
【請求項１４】
コンピュータプログラムであって、少なくとも一つのプロセッサにおいて実行される場合に、前記無線デバイス（１０）または前記無線ネットワークノード（１２）により実行される請求項１から６のいずれか１項に記載の方法を前記少なくとも一つのプロセッサに実行させる命令を含むことを特徴とするコンピュータプログラム。
【請求項１５】
少なくとも１つのプロセッサ上で実行されると、前記少なくとも１つのプロセッサに、前記無線デバイス（１０）または無線ネットワークノード（１２）により実行される請求項１から６のいずれか１項に記載の方法を実行させる命令を含むコンピュータプログラムが格納されたコンピュータ可読記憶媒体。
【外国語明細書】
2020053975000001.pdf